(57)【要約】  本発明による表示装置は、表示面を備えた表示部と、表示部を囲むように配置された額縁状の枠体４と、枠体に接するように配置された装飾部材６とを備えている。装飾部材６は、光透過性の部材であって、前面７ｓを形成する装飾部７と、前面７ｓと反対側の裏面８ｓを形成するとともに枠体４に固定された取付部８と、を備えている。装飾部材６には、前面７ｓから入射して表示面に垂直な光軸方向Ｄに沿って装飾部材６の内部を進行する光Ｌから光軸方向Ｄと異なる方向に進行する反射光を生成する反射面９ｒが形成されている。反射面９ｒにより、裏面側の部材５、１０の前面７ｓへの映り込みが防止される。
2014125523.tif 000002
【特許請求の範囲】
【請求項１】
情報を表示する機能を有する表示面を備えた表示部と、前記表示部を囲むように配置された額縁状の枠体と、前記枠体に接するように配置された装飾部材と、を備えた表示装置であって、
前記表示面に垂直な方向を光軸方向としたときに、
前記装飾部材は、
光透過性の部材であるとともに、
前記光軸方向に沿って前記表示面から離間した位置から視認できる前面を形成する装飾部と、
前記前面と反対側の裏面を形成するとともに前記枠体に固定された取付部と、を備え、
前記装飾部材に、前記前面から入射して前記光軸方向に沿って当該装飾部材の内部を進行する光から前記光軸方向と異なる方向に進行する反射光を生成する第１反射面が形成された、表示装置。
【請求項２】
前記第１反射面は、前記枠体から遠ざかる方向に前記反射光を進行させる前記装飾部材の表面である、請求項１に記載の表示装置。
【請求項３】
前記第１反射面は、前記装飾部材における前記枠体側の表面の少なくとも一部を前記光軸方向に対して傾斜させて形成した面である、請求項２に記載の表示装置。
【請求項４】
前記装飾部材は、前記枠体側の表面の一部を前記枠体から離間するように後退させて形成した溝部を備え、
前記第１反射面は、前記溝部の表面の一部である、請求項３に記載の表示装置。
【請求項５】
前記第１反射面において、前記装飾部材が前記枠体と接している、請求項３に記載の表示装置。
【請求項６】
前記装飾部の前記前面は、前記光軸方向に沿って入射する光が前記光軸方向とは異なる方向に屈折して前記第１反射面に入射するように前記表示面に対して傾斜している傾斜面を有する、請求項１に記載の表示装置。
【請求項７】
前記傾斜面において屈折して前記第１反射面に入射した前記光の少なくとも一部が、前記第１反射面において前記前面に近づく方向に反射する、請求項６に記載の表示装置。
【請求項８】
前記装飾部材に、前記前面から入射した光を散乱させるための粗面化された第２反射面が形成され、前記第２反射面の前記裏面側の端部が前記第１反射面の前記裏面側の端部よりも前記裏面に近い、請求項１に記載の表示装置。
【請求項９】
前記前面に入射して前記第１反射面で反射した光の少なくとも一部を散乱させる位置に前記第２反射面が形成された、請求項８に記載の表示装置。
【請求項１０】
前記装飾部材の内部に、前記装飾部材に前記光軸方向に沿って入射して前記装飾部材の内部のみを直進して前記裏面に垂直に入射する光路が存在しない、請求項１に記載の表示装置。
【発明の詳細な説明】
【技術分野】
【０００１】
本発明は、情報を表示する機能を有する前面を備えた表示部と表示部の周囲に配置された枠体とを備えた表示装置、具体的には、薄型テレビ等の据置型ディスプレイ、スマートフォン、タブレット等の携帯型ディスプレイである表示装置に関する。
【背景技術】
【０００２】
液晶表示装置、有機ＥＬ（electroluminescence）表示装置等の平板状の表示モジュールを表示部として備えた表示装置は、通常、表示部の周囲に額縁状の枠体を有する（例えば特許文献１）。表示装置の商品価値を高めるために、枠体の周縁に装飾部材が配置されることがある。
【先行技術文献】
【特許文献】
【０００３】
【特許文献１】特開２００６−５３５２８号公報
【発明の概要】
【発明が解決しようとする課題】
【０００４】
装飾性向上の観点から光透過性の装飾部材には利用価値がある。しかし、本発明者の検討によると、光透過性の装飾部材を枠体に取り付けた表示装置では、その裏面側の部材等により構成された構造が前面側に映り込んでデザイン上の商品価値が損なわれることがある。【０００５】
そこで、本発明は、デザイン上の商品価値の向上に適した、光透過性の装飾部材を用いた新たな表示装置を提供することを目的とする。
【課題を解決するための手段】
【０００６】
本発明は、
情報を表示する機能を有する表示面を備えた表示部と、前記表示部を囲むように配置された額縁状の枠体と、前記枠体に接するように配置された装飾部材と、を備えた表示装置であって、
前記表示面に垂直な方向を光軸方向としたときに、
前記装飾部材は、
光透過性の部材であるとともに、
前記光軸方向に沿って前記表示面から離間した位置から視認できる前面を形成する装飾部と、
前記前面と反対側の裏面を形成するとともに前記枠体に固定された取付部と、を備え、
前記装飾部材に、前記前面から入射して前記光軸方向に沿って当該装飾部材の内部を進行する光から前記光軸方向と異なる方向に進行する反射光を生成する第１反射面が形成された、表示装置、を提供する。
【発明の効果】
【０００７】
本発明によれば、光透過性の装飾部材の裏面側の構造を前面側から視認しにくくなる。したがって、本発明によれば、光透過性の装飾部材を用いて表示装置のデザイン上の商品価値の向上を図ることが容易になる。
【図面の簡単な説明】
【０００８】
【図１】本発明の一実施形態による表示装置を示す斜視図
【図２】本発明の一実施形態による表示装置の一部分を示す斜視図
【図３】図２に示した一部分の構造を示すための分解斜視図
【図４】本発明の一実施形態による表示装置の要部構造を示す部分断面図
【図５】本発明の別の一実施形態による表示装置の要部構造を示す部分断面図
【図６】本発明のまた別の一実施形態による表示装置の要部構造を示す部分断面図
【図７】本発明のさらに別の一実施形態による表示装置の要部構造を示す部分断面図
【図８】本発明のまたさらに別の一実施形態による表示装置の要部構造を示す部分断面図
【図９】光軸方向Ｄに進行する光Ｌに対する反射面Ｒの角度を説明するための図
【図１０Ａ】第１反射面を有さない光透過性の装飾部材を用いた表示装置の要部構造を示す部分断面図
【図１０Ｂ】図１０Ａに示した光透過性の装飾部材を用いた表示装置における裏面側の構造の前面への映り込みを説明するための斜視図
【発明を実施するための形態】
【０００９】
以下、図面を参照して本発明の実施形態を説明するが、以下の説明は本発明をこれらに限定する趣旨ではない。
【００１０】
図１に示す表示装置は、平板状の表示モジュールにより構成された表示部２と、表示部２の表示面２ｓが露出するように表示部２を収容する筐体１とを備えている。表示モジュールは、具体的には液晶表示装置、有機ＥＬ表示装置等である。表示部２の表示面（前面）２ｓは、画像等を表示する情報表示機能を有する矩形の平面である。図１に示す表示装置は、据置型ディスプレイであり、表示部２の表示面２ｓを略垂直に保持して据え置くためのスタンド３をさらに備えている。表示装置は、表示面２ｓを覆う保護ガラス等の別の部材を備えていてもよい。
【００１１】
図２〜図４に示すように、筐体１は、表示部２を囲むように配置された額縁状の枠体４と、表示部２の裏面（表示面の反対面）を覆うバックカバー５（図２及び図３では図示省略）とを備えている。枠体４は、表示部２の側面を覆う額縁状の部材であり、４本の棒状体が組み合わされて構成されている。枠体４は、表示面２ｓと同一側に露出する前面４ｓと、前面４ｓと反対側に露出する裏面４ｒと、前面４ｓと裏面４ｒとをつなぐ外周側面４ｐとを有する。枠体４及びバックカバー５は、金属、樹脂等により形成されている不透明の部材である。枠体４及びバックカバー５に覆われることによって、平板状の表示部２の表示面２ｓを除く面、即ち側面及び裏面は外部から視認できない状態となっている。
【００１２】
表示装置はさらに装飾部材６を備え、装飾部材６は枠体４に接するように配置されている。装飾部材６は、枠体４を構成する４つの棒状部材のうちの下方部材４ｕの外周側面４ｐ及び裏面４ｒに接するように配置されている。装飾部材６は、固定手段１０を用いて裏面４ｒに固定されている。固定手段１０としては、特に限定されないが、例えばビスが用いられる。
【００１３】
図４に示すように、装飾部材６は、前面７ｓを形成する装飾部７と、前面７ｓと反対側の裏面８ｓを形成するとともに枠体４の裏面４ｒに接して固定された取付部８と、を備えている。表示面２ｓに垂直な方向を光軸方向Ｄとしたときに、装飾部材６の前面７ｓは、光軸方向Ｄに沿って表示面２ｓから離間した位置から視認可能な面である。前面７ｓは、枠体４の前面４ｓとともに表示面２ｓと同一側（表示装置の前面側）に露出している。装飾部材６の裏面８ｓは、枠体４の裏面４ｒよりも図示右方に、言い換えると光軸方向Ｄに沿ってさらに後退した位置に（図示右方に）存在する。本明細書において、「装飾部材の裏面」は、取付部８の裏面８ｓであり、例えば装飾部７における前面７ｓと反対側の後面７ｒは含まない意味で使用している。なお、後面７ｒは前面７ｓと平行な面として形成されている。
【００１４】
図２及び図３に示すように、装飾部材６の前面７ｓには、電源のオン／オフを表示するためのインジケータ７ａ、リモコンの受光部７ｂ等が露出している。インジケータ７ａは、例えば発光ダイオードにより構成される。このように、装飾部材６は、装飾効果のみならず、機能素子を配置するための面を提供する役割も担っている。
【００１５】
固定部材１０は、本来はバックカバー５を枠体４に固定するための部材であるが、装飾部材６の取付部８をバックカバー５とともに枠体４の裏面４ｒに固定することにより装飾部材６を固定する部材としても機能している。
【００１６】
装飾部材６は、光透過性の部材であり、例えばアクリル樹脂等の透明樹脂により形成された透明部材である。装飾部材６の光透過性は、表示装置のデザイン上の商品価値の向上に寄与しうる望ましい特性である。しかし、光透過性を有するがために装飾部材６の前面７ｓに裏面８ｓ側の取付構造、具体的にはバックカバー５、固定手段１０等の部材により構成されている構造、が映り込むと、装飾部材６の光透過性による商品価値の向上は阻害される。
【００１７】
バックカバー５、固定手段１０等の部材の位置及び形状には取付構造上の制約が存在するため、これらの改善による映り込みの防止は必ずしも容易でない。また、装飾部材６は導光材として機能するため、前面７ｓから入射した光が取付のための部材の近傍にまで廻り込んで到達することもある。さらに、前面７ｓから入射した光が直進して裏面８ｓから突き抜けると、表示装置の設置場所によっては裏面８ｓ側に存在することがある美観上望ましくない構造物が前面８ｓに映り込むことも想定される。
【００１８】
図４に示すように、装飾部材６には、装飾部７から入射して光軸方向Ｄに沿って裏面に向かって進行する光Ｌから光軸方向Ｄと異なる方向、言い換えると光軸方向Ｄと交差する方向、に進行する反射光を生成する反射面（第１反射面）９ｒが形成されている。このため、光Ｌは、装飾部材６の裏面８ｓに到達して裏面側の構造を映し込むことはない。
【００１９】
実際には種々の方向から装飾部材６に光が入射する。しかし、表示面２ｓに垂直な方向（光軸方向）Ｄ、すなわちユーザーによる通常の観察方向、を基準として映り込みを検討することは、表示装置の商品価値の評価として十分に妥当性がある。
【００２０】
反射面９ｒは、光Ｌを枠体４から遠ざかる方向に反射させる装飾部材６の表面である。このように光を反射させる反射面９ｒとなる装飾部材６の表面の法線ベクトルｎｖは、枠体４及び裏面８ｓに近づいていく。
【００２１】
反射面９ｒは装飾部材６に形成された溝部９の表面である。溝部９は、装飾部材６における枠体４側の表面６ｐの一部を枠体４から離間するように後退させて形成されている。枠体４その他の部材は溝部９に入り込んでおらず、溝部９は空間として存在する。望ましい溝部９の断面形状の一つは、図４に示したＶ字状であるが、溝部９の形状はこれに限らない。溝部９を台形とした形態を図５として示しておく。なお、溝部９の断面形状は、装飾部材６が接する枠体の下方部材４ｕが延びる方向に直交する断面（図４及び図５として示されている断面）に基づいて記述している。
【００２２】
反射面９ｒは平面に限らず曲面であってもよい。また、反射面９ｒは、平滑な面であってもよいし（図４〜図５及び後述する図７〜図８）、粗面化された装飾部材６の表面であってもよい。反射面９ｒが粗面化されている場合であっても、光Ｌが裏面８ｓ側の構造を前面７ｓ側に映し込むことは防止できる。図６に、図４に示した反射面９ｒが粗面である場合の反射光を示す。粗面化された反射面９ｒからの反射光は散乱光となるため、反射面９ｒからは枠体４に近づく方向に進行したり光軸方向Ｄに沿って進行したりする反射光が生成しうる。しかし、図４と同様、図６に示した反射面９ｒからも枠体４から遠ざかる方向に進行する反射光は生成する。
【００２３】
図４〜図６に示した装飾部材６の内部には、前面７ｓから光軸方向Ｄに沿って装飾部材６の内部のみを直進して裏面８ｓに到達する光路（内部光路）が存在しない。このため、裏面８ｓに配置された部材が前面７ｓ側に映り込むことが確実に防止されている。この望ましい構造は、反射面９ｒが上記内部光路を遮断することにより実現されている。
【００２４】
なお、光Ｌよりも図４下方における一部の光は、光軸Ｄに沿って前面７ｓから装飾部材７へと入射し、後面７ｒおよびその対向面７ｆを経由し、これらの面７ｒ，７ｆで反射されずに直進した光が光軸Ｄに沿って裏面８ｓに入射する。この光による意匠性の低下は限定的であるが、美観をさらに向上させる観点から、対向面７ｆ（または後面７ｒ）を粗面化してもよい。
【００２５】
図４〜図６に示した反射面９ｒは、装飾部７と取付部８との間、より正確には装飾部材６の前面７ｓと裏面８ｓとの間に存在する。ただし、反射面９ｒは、装飾部材６の裏面８ｓの一部であってもよい。図７に示す装飾部材６では、裏面８ｓの一部が反射面９ｒとして機能している。図７では、前面７ｓから光軸方向Ｄに沿って装飾部材６の内部のみを直進して裏面８ｓに到達する光路ＩＬが存在するものの、この光路ＩＬを進行する光Ｌは裏面８ｓ（反射面９ｒ）に垂直に入射しない。このため、光Ｌは、光軸方向Ｄと異なる方向に反射し、裏面側の構造の映り込みをもたらさない。なお、図４〜図７に示したように、反射面９ｒとして利用されない裏面８ｓは、これらの図における前面７ｓと同様、通常、光軸方向Ｄに垂直な面として形成される。
【００２６】
図４〜図７に示したように、その内部に、前面７ｓから装飾部材６の内部のみを光軸方向Ｄに沿って直進して裏面８ｓに垂直に入射する光路ＩＬが存在しない装飾部材６は、裏面側の構造の映り込みの確実な防止に適している。
【００２７】
枠体と接する装飾部材の表面を反射面とすることも可能である。図８に示す装飾部材１６では、枠体１４（具体的には枠体の下方部材１４ｕ）と接する反射面１７ｒにおいて、装飾部１７から入射して光軸方向Ｄに沿って裏面１８ｓに向かって進行する光Ｌ１が光軸方向Ｄとは異なる方向に反射している。反射面９ｒとは異なり、反射面１７ｒを形成するための装飾部材１６の後退部には枠体１４が入り込んでいる。枠体１４と接する装飾部材１６の表面は、光の透過を確実に防ぐことができる点で反射面１７ｒとして適している。
【００２８】
反射面１７ｒと反射面９ｒ（図４〜図７参照）とは、装飾部材６、１６の枠体４、１４側の表面６ｐ、１６ｐの一部を光軸方向Ｄに対して傾斜させることにより、より具体的には光軸方向Ｄに沿って当該反射面に入射した光が枠体４、１４から遠ざかる方向に反射するように傾斜させることにより、形成されている点で共通している。より厳密に記述すると、装飾部材６、１６の枠体４、１４側の表面６ｐ、１６ｐとは、枠体の外周面４ｐ、１４ｐに接触している装飾部材６、１６の表面であり、光軸方向Ｄに対して傾斜させてとは、装飾部材６、１６が接している枠体の下方部材４ｕが延びる方向に直交する断面において傾斜させるという意味である。表面の６ｐ、１６ｐの一部ではなく全部が傾斜していてもよい。要するところ、映り込みを防ぐための反射面は、具体的には、装飾部材における枠体側の表面の少なくとも一部を光軸方向に対して傾斜させて形成した面とすることが望ましい。
【００２９】
装飾部材１６の前面１７ｓには、枠体１４から離れていくにつれて裏面１８ｓ側へと後退していく曲面１７ｃ、言い換えると枠体１４の前面１４ｓ及び表示部２の表示面２ｓに対して傾斜していく曲面１７ｃ、が形成されている。光軸方向Ｄに沿って装飾部材１６に入射する光Ｌ２は、そのまま直進すれば反射面１７ｒに入射しないのであるが、曲面１７ｃにおいて枠体１４に近づく方向へと屈折し、反射面１７ｒにおいて反射される。前面１７ｓにおける屈折のため、光Ｌ２は、前面１７ｓから光軸方向Ｄに沿って裏面１８ｓに到達する内部光路ＩＬを通過することがなく、裏面１８ｓ側の構造を前面１７に映し込む原因にはならない。このように、装飾部材１６の前面１７ｓは、光軸方向Ｄに沿って入射する光が光軸方向Ｄとは異なる方向に屈折して反射面１７ｒに入射するように表示面２ｓに対して傾斜している傾斜面１７ｃを有することが望ましい。傾斜面１７ｃは平面であってもよい。平面である傾斜面１７ｃについても、光Ｌ２について図示した屈折効果は同様に得ることができる。
【００３０】
図８に示した曲面１７ｃは、凸面であるために対象を小さく見せるレンズとしても作用する。この作用により、例えば仮に光軸方向Ｄとは異なる方向からの観察により裏面側の構造が僅かに視認できたとしても、その構造は目立たないものとなる。
【００３１】
光Ｌ２は、傾斜面１７ｃにおいて屈折して反射面１７ｒに入射し、反射面１７ｒにおいて前面１７ｓに近づく方向に反射する。このように、傾斜面１７ｃにおいて屈折した光の少なくとも一部が反射面１７ｒにおいて前面１７ｓに近づく方向に反射することにより、裏面側の構造の映り込みの防止はより確実なものとなる。
【００３２】
図８に示すように、装飾部材１６においては、前面１７ｓから光軸方向Ｄに沿って裏面１８ｓに垂直に入射する内部光路ＩＬが存在する。しかし、装飾部材１６の内部には、装飾部材１６に光軸方向Ｄに沿って入射して装飾部材１６の内部のみを直進して裏面１８ｓに垂直に入射する光路は存在しない。上述したように、光軸方向Ｄに沿って内部光路ＩＬの前面側端部に入射する光Ｌ２は、傾斜面１７ｃにおいて屈折し、内部光路ＩＬを進むことなく反射面１７ｒに向かうためである。このため、光軸方向Ｄに沿って表示装置を見るユーザーは、裏面側の構造の映り込みを視認することがない（光Ｌ１、Ｌ２を参照）。
【００３３】
光透過性の装飾部材が導光材として機能することには注意する必要がある。装飾部材の内部を直進する光路ではなく、装飾部材の表面で反射しながら裏面に到達する光路が存在する可能性が生じるためである。例えば、図８に示した光Ｌ３は、装飾部材１６の表面で反射を繰り返しながら、装飾部材１６の取付部１８の固定手段２０近傍にまで廻り込み、裏面側の構造の映り込みの原因となる可能性がある。このような光の廻り込みが懸念される場合には特に、装飾部材１６の表面の一部を粗面化して形成した反射面（第２反射面）１９ｒを形成することが望ましい。反射面１９ｒは、前面１７ｓ及び裏面１８ｓ以外の装飾部材１６の表面に形成するとよい。装飾部材１６では、反射面１９ｒにおける光の散乱により、光軸方向Ｄ以外の方向から観察した場合についても、裏面側の構造の前面１７ｓへの映り込みが防止されている。
【００３４】
光Ｌ４として示した光のように、反射面（第１反射面）１７ｒにおいて反射する光も、光Ｌ３と同様、映り込みの原因になる可能性がある。特に反射面１７ｒのように、前面１７ｓから大きな入射角で入射する光が多い反射面からは、裏面１８ｓ側に廻り込む反射光が生じやすい。したがって、反射面（第２反射面）１９ｒは、その裏面１８ｓ側の端部１９ｅが反射面（第１反射面）１７ｒの裏面１８ｓ側の端部１７ｅよりも裏面１８ｓに近くなるように形成することが望ましい。裏面１８ｓ側に引き下がった位置に端部１９ｅを設定することにより、前面１７ｓに入射して反射面１７ｒで反射した光の少なくとも一部が反射面１９ｒで散乱しやすくなる。
【００３５】
反射面（第２反射面）１９ｒは、光を散乱させる粗面であればよく、樹脂成型に用いる型に加工した表面を転写することにより形成することができる。この手法により実現できる粗面の例としてはローレット形状が挙げられる。反射面１９ｒは、サンドブラスト加工に代表される成型後の加工によって形成することも可能である。反射面（第１反射面）９ｒ、１７ｒを粗面化する場合も、上記と同様、型からの転写によって成型と同時に、あるいは成型後の加工により、形成することができる。
【００３６】
図９を参照して、装飾部材６、１６の反射面（第１反射面）Ｒと光軸方向Ｄとが為す適切な角度について説明する。反射面Ｒは、光軸方向Ｄに沿って入射する光の入射角θが３５°〜５５°、特に４０°〜５０°、とりわけ４２°〜４８°となるように形成されていることが望ましい。入射角θが大きすぎると、反射面Ｒからの反射光が装飾部材の裏面に廻り込んでいく可能性が高くなる。入射角θが小さすぎると、反射面において反射する光の比率が低くなるため、装飾部材６、１６及びその周辺の構造によっては透過光が映り込みの原因となることがある。
【００３７】
なお、改めて断るまでもないが、上述の反射面（第１反射面９ｒ、１７ｒ及び第２反射面１９ｒ）は、入射する光のすべてを反射する面である必要はない。本明細書では、入射光から反射光が生じる限りにおいて、透過光が生じるか否かによらず、その反射光が生じる面を反射面として取り扱う。
【００３８】
図４〜図８に示した装飾部材６、１６の前面７ｓ、１７ｓは、枠体の前面４ｓ、１４ｓと連続した面を構成している。言い換えると、前面７ｓ、１７ｓ及び前面４ｓ，１４ｓの接合部Ｊには段差が形成されていない。前面７ｓ、１７ｓ及び前面４ｓ，１４ｓは、表示面２ｓから離間した位置から視認できる面であってユーザーの視界に入るため、デザイン上の商品価値を考慮するとこれらの面７ｓ、１７ｓ；４ｓ、１４ｓは面一に配置されていることが望ましい。
【００３９】
最後に、図１０Ａ及び図１０Ｂを参照して、反射面を有しない光透過性の装飾部材において観察される映り込みを説明する。図１０Ａに示す光透過性の装飾部材２６を固定手段３０により枠体２４の裏面に固定した表示装置を用いると、図１０Ｂに示すように、裏面２８側の構造が装飾部材２６の装飾部２７に映り込む。この映り込み４０は表示部２２を見るユーザーの視界に入り、光透過性の装飾部材２６による商品価値の向上を阻害するものとなる。
【図１】
2014125523.tif 000003
【図２】
2014125523.tif 000004
【図３】
2014125523.tif 000005
【図４】
2014125523.tif 000006
【図５】
2014125523.tif 000007
【図６】
2014125523.tif 000008
【図７】
2014125523.tif 000009
【図８】
2014125523.tif 000010
【図９】
2014125523.tif 000011
【図１０Ａ】
2014125523.tif 000012
【図１０Ｂ】
2014125523.tif 000013
【手続補正書】
【提出日】平成25年12月25日(2013.12.25)
【手続補正１】
【補正対象書類名】明細書
【補正対象項目名】全文
【補正方法】変更
【補正の内容】
【発明の詳細な説明】
【技術分野】
【０００１】
本発明は、情報を表示する機能を有する前面を備えた表示部と表示部の周囲に配置された枠体とを備えた表示装置、具体的には、薄型テレビ等の据置型ディスプレイ、スマートフォン、タブレット等の携帯型ディスプレイである表示装置に関する。
【背景技術】
【０００２】
液晶表示装置、有機ＥＬ（electroluminescence）表示装置等の平板状の表示モジュールを表示部として備えた表示装置は、通常、表示部の周囲に額縁状の枠体を有する（例えば特許文献１）。表示装置の商品価値を高めるために、枠体の周縁に装飾部材が配置されることがある。
【先行技術文献】
【特許文献】
【０００３】
【特許文献１】特開２００６−５３５２８号公報
【発明の概要】
【発明が解決しようとする課題】
【０００４】
装飾性向上の観点から光透過性の装飾部材には利用価値がある。しかし、本発明者の検討によると、光透過性の装飾部材を枠体に取り付けた表示装置では、その裏面側の部材等により構成された構造が前面側に映り込んでデザイン上の商品価値が損なわれることがある。
【０００５】
そこで、本発明は、デザイン上の商品価値の向上に適した、光透過性の装飾部材を用いた新たな表示装置を提供することを目的とする。
【課題を解決するための手段】
【０００６】
本発明は、
情報を表示する機能を有する表示面を備えた表示部と、前記表示部を囲むように配置された額縁状の枠体と、前記枠体に接するように配置された装飾部材と、を備えた表示装置であって、
前記表示面に垂直な方向を光軸方向としたときに、
前記装飾部材は、
光透過性の部材であるとともに、
前記光軸方向に沿って前記表示面から離間した位置から視認できる前面を形成する装飾部と、
前記前面と反対側の裏面を形成するとともに前記枠体に固定された取付部と、を備え、
前記装飾部材に、前記前面から入射して前記光軸方向に沿って当該装飾部材の内部を進行する光から前記光軸方向と異なる方向に進行する反射光を生成する第１反射面が形成された、表示装置、を提供する。
【発明の効果】
【０００７】
本発明によれば、光透過性の装飾部材の裏面側の構造を前面側から視認しにくくなる。したがって、本発明によれば、光透過性の装飾部材を用いて表示装置のデザイン上の商品価値の向上を図ることが容易になる。
【図面の簡単な説明】
【０００８】
【図１】本発明の一実施形態による表示装置を示す斜視図
【図２】本発明の一実施形態による表示装置の一部分を示す斜視図
【図３】図２に示した一部分の構造を示すための分解斜視図
【図４】本発明の一実施形態による表示装置の要部構造を示す部分断面図
【図５】本発明の別の一実施形態による表示装置の要部構造を示す部分断面図
【図６】本発明のまた別の一実施形態による表示装置の要部構造を示す部分断面図
【図７】本発明のさらに別の一実施形態による表示装置の要部構造を示す部分断面図
【図８】本発明のまたさらに別の一実施形態による表示装置の要部構造を示す部分断面図
【図９】光軸方向Ｄに進行する光Ｌに対する反射面Ｒの角度を説明するための図
【図１０Ａ】第１反射面を有さない光透過性の装飾部材を用いた表示装置の要部構造を示す部分断面図
【図１０Ｂ】図１０Ａに示した光透過性の装飾部材を用いた表示装置における裏面側の構造の前面への映り込みを説明するための斜視図
【発明を実施するための形態】
【０００９】
以下、図面を参照して本発明の実施形態を説明するが、以下の説明は本発明をこれらに限定する趣旨ではない。
【００１０】
図１に示す表示装置は、平板状の表示モジュールにより構成された表示部２と、表示部２の表示面２ｓが露出するように表示部２を収容する筐体１とを備えている。表示モジュールは、具体的には液晶表示装置、有機ＥＬ表示装置等である。表示部２の表示面（前面）２ｓは、画像等を表示する情報表示機能を有する矩形の平面である。図１に示す表示装置は、据置型ディスプレイであり、表示部２の表示面２ｓを略垂直に保持して据え置くためのスタンド３をさらに備えている。表示装置は、表示面２ｓを覆う保護ガラス等の別の部材を備えていてもよい。
【００１１】
図２〜図４に示すように、筐体１は、表示部２を囲むように配置された額縁状の枠体４と、表示部２の裏面（表示面の反対面）を覆うバックカバー５（図２及び図３では図示省略）とを備えている。枠体４は、表示部２の側面を覆う額縁状の部材であり、４本の棒状体が組み合わされて構成されている。枠体４は、表示面２ｓと同一側に露出する前面４ｓと、前面４ｓと反対側に露出する裏面４ｒと、前面４ｓと裏面４ｒとをつなぐ外周側面４ｐとを有する。枠体４及びバックカバー５は、金属、樹脂等により形成されている不透明の部材である。枠体４及びバックカバー５に覆われることによって、平板状の表示部２の表示面２ｓを除く面、即ち側面及び裏面は外部から視認できない状態となっている。
【００１２】
表示装置はさらに装飾部材６を備え、装飾部材６は枠体４に接するように配置されている。装飾部材６は、枠体４を構成する４つの棒状部材のうちの下方部材４ｕの外周側面４ｐ及び裏面４ｒに接するように配置されている。装飾部材６は、固定手段１０を用いて裏面４ｒに固定されている。固定手段１０としては、特に限定されないが、例えばビスが用いられる。
【００１３】
図４に示すように、装飾部材６は、前面７ｓを形成する装飾部７と、前面７ｓと反対側の裏面８ｓを形成するとともに枠体４の裏面４ｒに接して固定された取付部８と、を備えている。表示面２ｓに垂直な方向を光軸方向Ｄとしたときに、装飾部材６の前面７ｓは、光軸方向Ｄに沿って表示面２ｓから離間した位置から視認可能な面である。前面７ｓは、枠体４の前面４ｓとともに表示面２ｓと同一側（表示装置の前面側）に露出している。装飾部材６の裏面８ｓは、枠体４の裏面４ｒよりも図示右方に、言い換えると光軸方向Ｄに沿ってさらに後退した位置に（図示右方に）存在する。本明細書において、「装飾部材の裏面」は、取付部８の裏面８ｓであり、例えば装飾部７における前面７ｓと反対側の後面７ｒは含まない意味で使用している。なお、後面７ｒは前面７ｓと平行な面として形成されている。
【００１４】
図２及び図３に示すように、装飾部材６の前面７ｓには、電源のオン／オフを表示するためのインジケータ７ａ、リモコンの受光部７ｂ等が露出している。インジケータ７ａは、例えば発光ダイオードにより構成される。このように、装飾部材６は、装飾効果のみならず、機能素子を配置するための面を提供する役割も担っている。
【００１５】
固定部材１０は、本来はバックカバー５を枠体４に固定するための部材であるが、装飾部材６の取付部８をバックカバー５とともに枠体４の裏面４ｒに固定することにより装飾部材６を固定する部材としても機能している。
【００１６】
装飾部材６は、光透過性の部材であり、例えばアクリル樹脂等の透明樹脂により形成された透明部材である。装飾部材６の光透過性は、表示装置のデザイン上の商品価値の向上に寄与しうる望ましい特性である。しかし、光透過性を有するがために装飾部材６の前面７ｓに裏面８ｓ側の取付構造、具体的にはバックカバー５、固定手段１０等の部材により構成されている構造、が映り込むと、装飾部材６の光透過性による商品価値の向上は阻害される。
【００１７】
バックカバー５、固定手段１０等の部材の位置及び形状には取付構造上の制約が存在するため、これらの改善による映り込みの防止は必ずしも容易でない。また、装飾部材６は導光材として機能するため、前面７ｓから入射した光が取付のための部材の近傍にまで廻り込んで到達することもある。さらに、前面７ｓから入射した光が直進して裏面８ｓから突き抜けると、表示装置の設置場所によっては裏面８ｓ側に存在することがある美観上望ましくない構造物が前面８ｓに映り込むことも想定される。
【００１８】
図４に示すように、装飾部材６には、装飾部７から入射して光軸方向Ｄに沿って裏面に向かって進行する光Ｌから光軸方向Ｄと異なる方向、言い換えると光軸方向Ｄと交差する方向、に進行する反射光を生成する反射面（第１反射面）９ｒが形成されている。このため、光Ｌは、装飾部材６の裏面８ｓに到達して裏面側の構造を映し込むことはない。
【００１９】
実際には種々の方向から装飾部材６に光が入射する。しかし、表示面２ｓに垂直な方向（光軸方向）Ｄ、すなわちユーザーによる通常の観察方向、を基準として映り込みを検討することは、表示装置の商品価値の評価として十分に妥当性がある。
【００２０】
反射面９ｒは、光Ｌを枠体４から遠ざかる方向に反射させる装飾部材６の表面である。このように光を反射させる反射面９ｒとなる装飾部材６の表面の法線ベクトルｎｖは、枠体４及び裏面８ｓに近づいていく。
【００２１】
反射面９ｒは装飾部材６に形成された溝部９の表面である。溝部９は、装飾部材６における枠体４側の表面６ｐの一部を枠体４から離間するように後退させて形成されている。枠体４その他の部材は溝部９に入り込んでおらず、溝部９は空間として存在する。望ましい溝部９の断面形状の一つは、図４に示したＶ字状であるが、溝部９の形状はこれに限らない。溝部９を台形とした形態を図５として示しておく。なお、溝部９の断面形状は、装飾部材６が接する枠体の下方部材４ｕが延びる方向に直交する断面（図４及び図５として示されている断面）に基づいて記述している。
【００２２】
反射面９ｒは平面に限らず曲面であってもよい。また、反射面９ｒは、平滑な面であってもよいし（図４〜図５及び後述する図７〜図８）、粗面化された装飾部材６の表面であってもよい。反射面９ｒが粗面化されている場合であっても、光Ｌが裏面８ｓ側の構造を前面７ｓ側に映し込むことは防止できる。図６に、図４に示した反射面９ｒが粗面である場合の反射光を示す。粗面化された反射面９ｒからの反射光は散乱光となるため、反射面９ｒからは枠体４に近づく方向に進行したり光軸方向Ｄに沿って進行したりする反射光が生成しうる。しかし、図４と同様、図６に示した反射面９ｒからも枠体４から遠ざかる方向に進行する反射光は生成する。
【００２３】
図４〜図６に示した装飾部材６の内部には、前面７ｓから光軸方向Ｄに沿って装飾部材６の内部のみを直進して裏面８ｓに到達する光路（内部光路）が存在しない。このため、裏面８ｓに配置された部材が前面７ｓ側に映り込むことが確実に防止されている。この望ましい構造は、反射面９ｒが上記内部光路を遮断することにより実現されている。
【００２４】
なお、光Ｌよりも図４下方における一部の光は、光軸Ｄに沿って前面７ｓから装飾部材７へと入射し、後面７ｒおよびその対向面７ｆを経由し、これらの面７ｒ，７ｆで反射されずに直進した光が光軸Ｄに沿って裏面８ｓに入射する。この光による意匠性の低下は限定的であるが、美観をさらに向上させる観点から、対向面７ｆ（または後面７ｒ）を粗面化してもよい。
【００２５】
図４〜図６に示した反射面９ｒは、装飾部７と取付部８との間、より正確には装飾部材６の前面７ｓと裏面８ｓとの間に存在する。ただし、反射面９ｒは、装飾部材６の裏面８ｓの一部であってもよい。図７に示す装飾部材６では、裏面８ｓの一部が反射面９ｒとして機能している。図７では、前面７ｓから光軸方向Ｄに沿って装飾部材６の内部のみを直進して裏面８ｓに到達する光路ＩＬが存在するものの、この光路ＩＬを進行する光Ｌは裏面８ｓ（反射面９ｒ）に垂直に入射しない。このため、光Ｌは、光軸方向Ｄと異なる方向に反射し、裏面側の構造の映り込みをもたらさない。なお、図４〜図７に示したように、反射面９ｒとして利用されない裏面８ｓは、これらの図における前面７ｓと同様、通常、光軸方向Ｄに垂直な面として形成される。
【００２６】
図４〜図７に示したように、その内部に、前面７ｓから装飾部材６の内部のみを光軸方向Ｄに沿って直進して裏面８ｓに垂直に入射する光路ＩＬが存在しない装飾部材６は、裏面側の構造の映り込みの確実な防止に適している。
【００２７】
枠体と接する装飾部材の表面を反射面とすることも可能である。図８に示す装飾部材１６では、枠体１４（具体的には枠体の下方部材１４ｕ）と接する反射面１７ｒにおいて、装飾部１７から入射して光軸方向Ｄに沿って裏面１８ｓに向かって進行する光Ｌ１が光軸方向Ｄとは異なる方向に反射している。反射面９ｒとは異なり、反射面１７ｒを形成するための装飾部材１６の後退部には枠体１４が入り込んでいる。枠体１４と接する装飾部材１６の表面は、光の透過を確実に防ぐことができる点で反射面１７ｒとして適している。
【００２８】
反射面１７ｒと反射面９ｒ（図４〜図７参照）とは、装飾部材６、１６の枠体４、１４側の表面６ｐ、１６ｐの一部を光軸方向Ｄに対して傾斜させることにより、より具体的には光軸方向Ｄに沿って当該反射面に入射した光が枠体４、１４から遠ざかる方向に反射するように傾斜させることにより、形成されている点で共通している。より厳密に記述すると、装飾部材６、１６の枠体４、１４側の表面６ｐ、１６ｐとは、枠体の外周面４ｐ、１４ｐに接触している装飾部材６、１６の表面であり、光軸方向Ｄに対して傾斜させてとは、装飾部材６、１６が接している枠体の下方部材４ｕが延びる方向に直交する断面において傾斜させるという意味である。表面の６ｐ、１６ｐの一部ではなく全部が傾斜していてもよい。要するところ、映り込みを防ぐための反射面は、具体的には、装飾部材における枠体側の表面の少なくとも一部を光軸方向に対して傾斜させて形成した面とすることが望ましい。
【００２９】
装飾部材１６の前面１７ｓには、枠体１４から離れていくにつれて裏面１８ｓ側へと後退していく曲面１７ｃ、言い換えると枠体１４の前面１４ｓ及び表示部２の表示面２ｓに対して傾斜していく曲面１７ｃ、が形成されている。光軸方向Ｄに沿って装飾部材１６に入射する光Ｌ２は、そのまま直進すれば反射面１７ｒに入射しないのであるが、曲面１７ｃにおいて枠体１４に近づく方向へと屈折し、反射面１７ｒにおいて反射される。前面１７ｓにおける屈折のため、光Ｌ２は、前面１７ｓから光軸方向Ｄに沿って裏面１８ｓに到達する内部光路ＩＬを通過することがなく、裏面１８ｓ側の構造を前面１７に映し込む原因にはならない。このように、装飾部材１６の前面１７ｓは、光軸方向Ｄに沿って入射する光が光軸方向Ｄとは異なる方向に屈折して反射面１７ｒに入射するように表示面２ｓに対して傾斜している傾斜面１７ｃを有することが望ましい。傾斜面１７ｃは平面であってもよい。平面である傾斜面１７ｃについても、光Ｌ２について図示した屈折効果は同様に得ることができる。
【００３０】
図８に示した曲面１７ｃは、凸面であるために対象を小さく見せるレンズとしても作用する。この作用により、例えば仮に光軸方向Ｄとは異なる方向からの観察により裏面側の構造が僅かに視認できたとしても、その構造は目立たないものとなる。
【００３１】
光Ｌ２は、傾斜面１７ｃにおいて屈折して反射面１７ｒに入射し、反射面１７ｒにおいて前面１７ｓに近づく方向に反射する。このように、傾斜面１７ｃにおいて屈折した光の少なくとも一部が反射面１７ｒにおいて前面１７ｓに近づく方向に反射することにより、裏面側の構造の映り込みの防止はより確実なものとなる。
【００３２】
図８に示すように、装飾部材１６においては、前面１７ｓから光軸方向Ｄに沿って裏面１８ｓに垂直に入射する内部光路ＩＬが存在する。しかし、装飾部材１６の内部には、装飾部材１６に光軸方向Ｄに沿って入射して装飾部材１６の内部のみを直進して裏面１８ｓに垂直に入射する光路は存在しない。上述したように、光軸方向Ｄに沿って内部光路ＩＬの前面側端部に入射する光Ｌ２は、傾斜面１７ｃにおいて屈折し、内部光路ＩＬを進むことなく反射面１７ｒに向かうためである。このため、光軸方向Ｄに沿って表示装置を見るユーザーは、裏面側の構造の映り込みを視認することがない（光Ｌ１、Ｌ２を参照）。
【００３３】
光透過性の装飾部材が導光材として機能することには注意する必要がある。装飾部材の内部を直進する光路ではなく、装飾部材の表面で反射しながら裏面に到達する光路が存在する可能性が生じるためである。例えば、図８に示した光Ｌ３は、装飾部材１６の表面で反射を繰り返しながら、装飾部材１６の取付部１８の固定手段２０近傍にまで廻り込み、裏面側の構造の映り込みの原因となる可能性がある。このような光の廻り込みが懸念される場合には特に、装飾部材１６の表面の一部を粗面化して形成した反射面（第２反射面）１９ｒを形成することが望ましい。反射面１９ｒは、前面１７ｓ及び裏面１８ｓ以外の装飾部材１６の表面に形成するとよい。装飾部材１６では、反射面１９ｒにおける光の散乱により、光軸方向Ｄ以外の方向から観察した場合についても、裏面側の構造の前面１７ｓへの映り込みが防止されている。
【００３４】
光Ｌ４として示した光のように、反射面（第１反射面）１７ｒにおいて反射する光も、光Ｌ３と同様、映り込みの原因になる可能性がある。特に反射面１７ｒのように、前面１７ｓから大きな入射角で入射する光が多い反射面からは、裏面１８ｓ側に廻り込む反射光が生じやすい。したがって、反射面（第２反射面）１９ｒは、その裏面１８ｓ側の端部１９ｅが反射面（第１反射面）１７ｒの裏面１８ｓ側の端部１７ｅよりも裏面１８ｓに近くなるように形成することが望ましい。裏面１８ｓ側に引き下がった位置に端部１９ｅを設定することにより、前面１７ｓに入射して反射面１７ｒで反射した光の少なくとも一部が反射面１９ｒで散乱しやすくなる。
【００３５】
反射面（第２反射面）１９ｒは、光を散乱させる粗面であればよく、樹脂成型に用いる型に加工した表面を転写することにより形成することができる。この手法により実現できる粗面の例としてはローレット形状が挙げられる。反射面１９ｒは、サンドブラスト加工に代表される成型後の加工によって形成することも可能である。反射面（第１反射面）９ｒ、１７ｒを粗面化する場合も、上記と同様、型からの転写によって成型と同時に、あるいは成型後の加工により、形成することができる。
【００３６】
図９を参照して、装飾部材６、１６の反射面（第１反射面）Ｒと光軸方向Ｄとが為す適切な角度について説明する。反射面Ｒは、光軸方向Ｄに沿って入射する光の入射角θが３５°〜５５°、特に４０°〜５０°、とりわけ４２°〜４８°となるように形成されていることが望ましい。入射角θが大きすぎると、反射面Ｒからの反射光が装飾部材の裏面に廻り込んでいく可能性が高くなる。入射角θが小さすぎると、反射面において反射する光の比率が低くなるため、装飾部材６、１６及びその周辺の構造によっては透過光が映り込みの原因となることがある。
【００３７】
なお、改めて断るまでもないが、上述の反射面（第１反射面９ｒ、１７ｒ及び第２反射面１９ｒ）は、入射する光のすべてを反射する面である必要はない。本明細書では、入射光から反射光が生じる限りにおいて、透過光が生じるか否かによらず、その反射光が生じる面を反射面として取り扱う。
【００３８】
図４〜図８に示した装飾部材６、１６の前面７ｓ、１７ｓは、枠体の前面４ｓ、１４ｓと連続した面を構成している。言い換えると、前面７ｓ、１７ｓ及び前面４ｓ，１４ｓの接合部Ｊには段差が形成されていない。前面７ｓ、１７ｓ及び前面４ｓ，１４ｓは、表示面２ｓから離間した位置から視認できる面であってユーザーの視界に入るため、デザイン上の商品価値を考慮するとこれらの面７ｓ、１７ｓ；４ｓ、１４ｓは面一に配置されていることが望ましい。
【００３９】
最後に、図１０Ａ及び図１０Ｂを参照して、反射面を有しない光透過性の装飾部材において観察される映り込みを説明する。図１０Ａに示す光透過性の装飾部材２６を固定手段３０により枠体２４の裏面に固定した表示装置を用いると、図１０Ｂに示すように、裏面２８側の構造が装飾部材２６の装飾部２７に映り込む。この映り込み４０は表示部２２を見るユーザーの視界に入り、光透過性の装飾部材２６による商品価値の向上を阻害するものとなる。
【手続補正２】
【補正対象書類名】特許請求の範囲
【補正対象項目名】全文
【補正方法】変更
【補正の内容】
【特許請求の範囲】
【請求項１】
情報を表示する機能を有する表示面を備えた表示部と、前記表示部を囲むように配置された額縁状の枠体と、前記枠体に接するように配置された装飾部材と、を備えた表示装置であって、
前記表示面に垂直な方向を光軸方向としたときに、
前記装飾部材は、
光透過性の部材であるとともに、
前記光軸方向に沿って前記表示面から離間した位置から視認できる前面を形成する装飾部と、
前記前面と反対側の裏面を形成するとともに前記枠体に固定された取付部と、を備え、
前記装飾部材に、前記前面から入射して前記光軸方向に沿って当該装飾部材の内部を進行する光から前記光軸方向と異なる方向に進行する反射光を生成する第１反射面が形成された、表示装置。
【請求項２】
前記第１反射面は、前記枠体から遠ざかる方向に前記反射光を進行させる前記装飾部材の表面である、請求項１に記載の表示装置。
【請求項３】
前記第１反射面は、前記装飾部材における前記枠体側の表面の少なくとも一部を前記光軸方向に対して傾斜させて形成した面である、請求項２に記載の表示装置。
【請求項４】
前記装飾部材は、前記枠体側の表面の一部を前記枠体から離間するように後退させて形成した溝部を備え、
前記第１反射面は、前記溝部の表面の一部である、請求項３に記載の表示装置。
【請求項５】
前記第１反射面において、前記装飾部材が前記枠体と接している、請求項３に記載の表示装置。
【請求項６】
前記装飾部の前記前面は、前記光軸方向に沿って入射する光が前記光軸方向とは異なる方向に屈折して前記第１反射面に入射するように前記表示面に対して傾斜している傾斜面を有する、請求項１に記載の表示装置。
【請求項７】
前記傾斜面において屈折して前記第１反射面に入射した前記光の少なくとも一部が、前記第１反射面において前記前面に近づく方向に反射する、請求項６に記載の表示装置。
【請求項８】
前記装飾部材に、前記前面から入射した光を散乱させるための粗面化された第２反射面が形成され、前記第２反射面の前記裏面側の端部が前記第１反射面の前記裏面側の端部よりも前記裏面に近い、請求項１に記載の表示装置。
【請求項９】
前記前面に入射して前記第１反射面で反射した光の少なくとも一部を散乱させる位置に前記第２反射面が形成された、請求項８に記載の表示装置。
【請求項１０】
前記装飾部材の内部に、前記装飾部材に前記光軸方向に沿って入射して前記装飾部材の内部のみを直進して前記裏面に垂直に入射する光路が存在しない、請求項１に記載の表示装置。
【手続補正３】
【補正対象書類名】図面
【補正対象項目名】全図
【補正方法】変更
【補正の内容】
【図１】
2014125523.tif 000014
【図２】
2014125523.tif 000015
【図３】
2014125523.tif 000016
【図４】
2014125523.tif 000017
【図５】
2014125523.tif 000018
【図６】
2014125523.tif 000019
【図７】
2014125523.tif 000020
【図８】
2014125523.tif 000021
【図９】
2014125523.tif 000022
【図１０Ａ】
2014125523.tif 000023
【図１０Ｂ】
2014125523.tif 000024
【国際調査報告】
2014125523.tif 000025
2014125523.tif 000026
2014125523.tif 000027
2014125523.tif 000028